(57)【要約】      （修正有）【課題】GPS受信機、メモリ、カードコネクタおよびUSB OTGコントローラを含む一種のGPS記録装置を開示する。【解決手段】GPS受信機は、複数の位置情報および複数のログ時間情報の受信用に用いられる。メモリは、位置情報および第１ログ時間情報の保存用に用いられる。カードコネクタは、メモリカードとの接続用に用いられ、その中のメモリカード内には画像ファイルが保存され、且つ画像ファイルが第２ログ時間情報を保有する。ユーザがメモリカードをGPS記録装置のカードコネクタに接続すると、USB OTGコントローラが第１ログ時間情報から、画像ファイルの第２ログ時間情報に対応する第１ログ時間情報を取り出し、同時に取り出した第１ログ時間情報に対応する位置情報を画像ファイルに付け加える。【選択図】図１
0003136783.tif 000002
【実用新案登録請求の範囲】
【請求項１】
一種の全地球測位システム（Global Positioning System, GPS）記録装置であって、次を含む装置：
―複数の位置情報および複数の第1ログ時間情報の受信用に用いられ、それぞれの位置情報は当該第1ログ時間情報の中の一つに対応する、GPS受信機（receiver）；
―位置情報および第1ログ時間情報の保存用に用いられる、メモリ（memory）；
―該メモリカード内には画像ファイル（image file）が保存され、該画像ファイルは第2ログ時間情報を保有し、メモリカード（memory card）との接続に用いられる、カードコネクタ（card connector）；
―メモリカードが当該カードコネクタに接続されると、当該USB OTGコントローラが当該第1ログ時間情報から、第2ログ時間情報に対応する第1ログ時間情報を取り出し、同時に取り出した第1ログ時間情報に対応する当該位置情報を当該画像ファイルに付け加える、USB OTG（On-The-Go）コントローラ（controller）。
【請求項２】
当該位置情報はそれぞれ一つの座標（coordinate）および／または地名（place name）を有する、請求項１に記載のGPS記録装置。
【請求項３】
当該第1ログ時間情報はそれぞれ、第1ログ日付（date）および／または第1ログ時間（time）を含み、当該第2ログ時間情報はそれぞれ第2ログ日付および／または第2ログ時間を含む、請求項１に記載のGPS記録装置。
【請求項４】
更にUSBホストポート（USB host port）を含み、USBホストポートはメモリカードが当該電子機器内に設置された電子機器との接続用に用いられる、請求項１に記載のGPS記録装置。
【請求項５】
一種の全地球測位システム（global positioning system, GPS）記録装置であって、次を含む装置：
―複数の位置情報および複数の第1ログ時間情報の受信用に用いられ、それぞれの位置情報は当該第1ログ時間情報の中の一つに対応する、GPS受信機；
―位置情報および第1ログ時間情報の保存用に用いられる、メモリ；
―内部にメモリカードを設置した電子機器との接続用に用いられ、当該メモリカード内には画像ファイルが保存され、且つ画像ファイルが第2ログ時間情報を保有する、USBホストポート；
―当該電子機器がUSBホストポートに接続されると、当該USB OTGコントローラが当該第1ログ時間情報から、当該第2ログ時間情報に対応する第1ログ時間情報を取り出し、同時に取り出した第1ログ時間情報に対応する位置情報を画像ファイルに付け加える、USB OTG（On-The-Go）コントローラ。
【請求項６】
当該位置情報はそれぞれ一つの座標および／または地名を有する、請求項５に記載のGPS記録装置。
【請求項７】
当該第1ログ時間情報はそれぞれ、第1ログ日付および／または第1ログ時間を含み、当該第2ログ時間情報はそれぞれ第2ログ日付および／または第2ログ時間を含む、請求項５に記載のGPS記録装置。
【請求項８】
更にカードコネクタを含み、電子機器内に設置されたメモリカードがカードコネクタに直接接続できるようになっている、請求項５に記載のGPS記録装置。
【考案の詳細な説明】
【技術分野】
【０００１】
本考案は、一種の全地球測位システム（global positioning system, GPS）記録装置に関するものであり、特に位置情報を画像ファイルに付け加えられるGPS記録装置についてのものである。
【背景技術】
【０００２】
科学技術の進歩に伴い、GPSのアプリケーションも益々広範なものになっている。GPSは、自動車用ナビゲーションに応用されるほか、GPSとデジタルカメラを一体化することで、撮影地点の経緯度情報を記録できるようになっている。現在、既に開発されているGPS記録装置は、ユーザの所在地の位置情報とログ時間情報の記録に使用される。ユーザが各地で撮影を行なった後で画像ファイルとGPS情報がコンピュータに入力でき、更に撮影地点の位置情報を写真1枚毎に付加することができる。これによりユーザは座標値を書き込んだ写真をGoogle Mapまたは Google Earth上に保存でき、撮影地点の位置を明瞭に表示することができる。
【０００３】
しかし、既存のGPS記録装置は、USB OTG（On-The-Go）コントローラを備えていないため、ユーザが画像ファイルを保存したメモリカードを直接GPS記録装置に接続することができず、またデジタルカメラやカード読取装置などのメモリカードを持つ電子機器に直接接続させることもできなかった。即ち、ユーザはGPS記録装置を利用して撮影地点の位置情報を写真一枚毎に付け加えることができず、必ずコンピュータ操作を経なければならなかった。これはユーザにとって相当の不便を生じるものである。
【０００４】
そこで、本考案の主な目的は、位置情報を画像ファイルに付け加えるGPS記録装置を提供することで、上記の問題を解決することにある。
【考案の開示】
【０００５】
本考案の目的は、USB OTGコントローラを含む一種のGPS記録装置を提供することにある。ユーザが画像ファイルを保存したメモリカードをGPS記録装置のカードコネクタに接続すると、本考案のGPS記録装置はメモリカード中の画像ファイル一つ一つに位置情報を自動的に付け加える。
【０００６】
本考案のもう一つの目的は、USB OTGコントローラを含む一種のGPS記録装置を提供することである。ユーザがメモリカードを持つ電子機器をGPS記録装置のUSBホストポートに接続すると、本考案のGPS記録装置がメモリカード中の画像ファイル一つ一つに位置情報を自動的に付け加える。
【０００７】
比較的良好な具体的実施例のとおり、本考案のGPS記録装置はGPS受信機（receiver）、メモリ（memory）、カードコネクタ（card connector）およびUSB OTGコントローラ（controller）を含む。GPS受信機は、複数の位置情報および複数のログ時間情報の受信用に用いられ、それぞれの位置情報を当該第1ログ時間情報の中の一つに対応させる。メモリは当該位置情報および当該第1ログ時間情報の保存用に用いられる。カードコネクタは、メモリカード（memory card）の接続用に用いられ、メモリカードに少なくとも一つの画像ファイル（image file）を保存し、それぞれの画像ファイルには第2ログ時間情報を有する。
【０００８】
この実施例では、ユーザがメモリカードをGPS記録装置のカードコネクタに接続すると、USB OTGコントローラが当該第1ログ時間情報から、ある画像ファイルの第2ログ時間情報と対応する第1ログ時間情報を取り出し、この取り出した第1ログ時間情報に対応する位置情報を画像ファイルに付け加える。
【０００９】
もう一つの比較的良好な具体的実施例のとおり、本考案のGPS記録装置はGPS受信機、メモリ、USBホストポート（USB host port）およびUSB OTGコントローラを含む。GPS受信機は複数の位置情報および複数の第1ログ時間情報の受信用に用いられ、その中、それぞれの位置情報が当該第1ログ時間情報のうちの一つに対応する。メモリは当該位置情報および当該第1ログ時間情報の保存用に用いられる。USBホストポートは、メモリカードを持つ電子機器との接続用に用いられ、メモリカードには少なくとも一つの画像ファイルが保存され、且つそれぞれの画像ファイルが第2ログ時間情報を有している。
【００１０】
この実施例では、ユーザが電子機器をUSBホストポートに接続すると、USB OTGコントローラが当該第1ログ時間情報から、ある画像ファイルの第2ログ時間情報と対応する第1ログ時間情報を取り出し、この取り出した第1ログ時間情報に対応する位置情報を画像ファイルに付け加える。
【００１１】
よって、本考案のGPS記録装置により、ユーザは画像ファイルを保存したメモリカード、またはメモリカードを持つ電子機器を直接GPS記録装置に接続することができる。即ち、ユーザは直接GPS記録装置を利用して、撮影地点の位置情報を写真一枚毎に付け加えることができ、コンピュータによる操作が必要なくなる。これはユーザにとって非常に便利である。
【００１２】
本考案の長所および精神については、次の考案の詳細な説明および添付の図式により更に深く理解することができる。
【考案を実施するための最良の形態】
【００１３】
図1に本考案に基づく比較的良好な実施例によるGPS記録装置1の機能図を示す。GPS記録装置1は、GPS受信機10、メモリ12、カードコネクタ14およびUSB OTGコントローラ16を含む。メモリ12はフラッシュメモリ（flash memory）などの非揮発性メモリ（non-volatile memory）としてもよい。
【００１４】
この実施例では、GPS受信機10は複数の位置情報PTおよび複数のログ時間情報TI1の受信用に用いられ、その中、それぞれの位置情報PIはログ時間情報TI1のうちの一つにそれぞれ対応している。特に、位置情報PI一つ一つが座標（coordinate）および／または地名（place name）を含むことができ、ログ時間情報TI1一つ一つがログ日付（date）および／またはログ時間（time）を含むことができる。GPS受信機10が受信した位置情報PIおよびログ時間情報TI1は、図1に示されるとおりメモリ12に保存される。
【００１５】
ユーザが各地で撮影すると、複数の画像ファイル30はメモリカード3に保存されるが、その中、画像ファイル一つ一つがログ時間情報TI2を有している。図1に示されるとおり、ユーザがメモリカード3をGPS記録装置1のカードコネクタ14に接続すると、USB OTGコントローラ16はメモリ12に保存されたログ時間情報TI1から、特定の画像ファイル30のログ時間情報TI2に対応するログ時間情報TI1を取り出し、この取り出されたログ時間情報TI1に対応する位置情報PIを画像ファイル30に付け加える。
【００１６】
例えば、メモリカード3にログ時間情報TI2が「2007年1月1日12時30分」である画像ファイル30が保存されているとする。GPS記録装置1のメモリ12には次が保存されているとする。ログ時間情報TI1「2007年1月1日12時30分」で、対応する位置情報PIは台北、ログ時間情報TI1「2007年1月1日13時30分」で、対応する位置情報PIは桃園、ログ時間情報TI1「2007年1月1日14時30分」で、対応する位置情報PIは新竹。ここでユーザがメモリカード3をGPS記録装置1のカードコネクタ14に接続すると、USB OTGコントローラ16は位置情報「台北」を画像ファイル30に付け加えるのである。
【００１７】
つまり、ユーザが画像ファイル30を保存したメモリカード3を直接GPS記録装置1に接続できる。即ち、ユーザは直接GPS記録装置1を利用して、撮影した地点の位置情報PIを写真一枚毎に付け加えることができ、コンピュータによる操作が必要ないのである。
【００１８】
図2に本考案に基づく比較的良好なもう一つの実施例によるGPS記録装置1’の機能図を示す。GPS記録装置1’とGPS記録装置1の主な違いは、GPS記録装置1’は別途GPSアンテナ（antenna）18、USBホストポート20、電池（battery）22およびディスプレイモジュール（display module）24を含むことである。GPSアンテナ18は、GPS受信機10にカップリング結合する。電池22はGPS記録装置1’が必要とする電源提供用に用いられる。ディスプレイモジュール24は、GPS記録装置1’またはメモリカード3の情報の表示用に用いられ、その中、ディスプレイモジュール24は液晶ディスプレイ（Liquid Crystal Display, LCD）またはその他のディスプレイとすることができる。
【００１９】
USBホストポート20は、デジタルカメラやカード読取装置などの電子機器5との接続用に用いられる。その中、メモリカード3は電子機器5内に装着する。電子機器5がUSBホストポート20に接続されると、USB OTGコントローラ16はメモリ12に保存されたログ時間情報TI1から特定の画像ファイル20のログ時間情報TI2に対応するログ時間情報TI1を取り出し、取り出したログ時間情報TI1に対応する位置情報PIを画像ファイル30に付け加える。
【００２０】
つまり、ユーザがメモリカード3を持つ電子機器5を直接GPS記録装置1に接続できる。即ち、ユーザは直接GPS記録装置1を利用して、撮影した地点の位置情報PIを写真一枚毎に付け加えることができ、コンピュータによる操作が必要ないのである。
【００２１】
図3に、本考案に基づく比較的良好なもう一つの実施例によるGPS記録装置1”の機能図を示す。GPS記録装置1”とGPS記録装置1の主な違いは、GPS記録装置1”がUSBホストポート20を含むが、カードコネクタ14を含まないことである。USBホストポート20は、デジタルカメラやカード読取装置などの電子機器5との接続用に用いられ、その中、メモリカード3は電子機器5内に装着する。電子機器5がUSBホストポート20に接続されると、USB OTGコントローラ16はメモリ12に保存されたログ時間情報TI1から特定の画像ファイル20のログ時間情報TI2に対応するログ時間情報TI1を取り出し、取り出したログ時間情報TI1に対応する位置情報PIを画像ファイル30に付け加える。
【００２２】
先行技術と異なり、本考案に基づくGPS記録装置は、ユーザが画像ファイルを保存したメモリカード、またはメモリカードを持つ電子機器を直接GPS記録装置に接続することができる。即ち、ユーザは直接GPS記録装置を利用して、撮影地点の位置情報を写真一枚毎に付け加えることができ、コンピュータによる操作が必要なくなる。これはユーザにとって非常に便利である。
【００２３】
以上の比較的良好な実施例の詳細な説明により、本考案の特徴および精神がより明確に表現されたと期待している。但し、上記で開示した比較的良好な実施例は、本考案の範囲を制限するものではない。逆に、考案の特許請求の範囲と同一である限り、加えられた変化と修飾はいかなるものであっても本考案の特許請求の範囲に含まれるようにすることがその目的である。よって、本考案の特許請求の範囲は、上記の説明に基づいた最も広く解釈されたものであるべきであり、同一である限り、加えられた変化と修飾はいかなるものであっても本考案の特許請求の範囲に含まれることになる。
【図面の簡単な説明】
【００２４】
【図１】本考案に基づく比較的良好な実施例のGPS記録装置の機能図である。
【図２】本考案に基づくもう一つの比較的良好な実施例のGPS記録装置の機能図である。
【図３】本考案に基づくもう一つの比較的良好な実施例のGPS記録装置の機能図である。
【符号の説明】
【００２５】
1、1’、1”：GPS記録装置            
10：GPS受信機
12：メモリ            
14：カードコネクタ
16：USB OTGコントローラ            
18：GPSアンテナ
20：USBホストポート  
22：電池
24：ディスプレイモジュール              
3：メモリカード
30：画像ファイル    
5：電子機器
PI：位置情報            
TI1、TI2：ログ時間情報
【図１】
0003136783.tif 000003
【図２】
0003136783.tif 000004
【図３】
0003136783.tif 000005